(57)【要約】【課題】表示パネルの温度を検出する温度センサの出力をディジタル値に変換し、その温度に応じて駆動条件を変更するようにした表示装置において、ディジタル値に変換するＡ／Ｄコンバータの分解能を高くすることなく、駆動条件の変化を抑制して、視覚上の違和感を少なくすること。【解決手段】温度センサで検出された温度データをディジタル値に変換し、このディジタル温度データの変化に応じて表示手段の駆動条件を設定変更する。この際に、旧駆動条件と新駆動条件との間に１つ以上の中間値を設け、旧駆動条件から新駆動条件への設定変更を、中間値をそれぞれ所定の遷移時間をおいて順次遷移させて行う。【選択図】　　　　図２
2004029411.tif 000002
【特許請求の範囲】
【請求項１】
表示手段と、この表示手段に表示すべき内容を記憶する表示メモリ手段と、前記表示手段に接続された駆動手段と、前記表示手段の温度を検出する温度センサと、該温度センサで検出された温度データの変化に応じて前記表示手段の駆動条件を、その変化前の旧駆動条件設定値から前記温度データに対応した変化後の新駆動条件設定値に設定変更する温度補正手段と、これら各手段と結合され、それらを制御するコントローラ部とを備え、
前記温度補正手段はさらに、前記旧駆動条件設定値と前記新駆動条件設定値との間に１つ以上の中間設定値を設け、前記旧駆動条件設定値から前記新駆動条件設定値への設定変更を前記中間設定値をそれぞれ所定の遷移時間をおいて順次遷移させて行うように構成されていることを特徴とする表示装置。
【発明の詳細な説明】
【０００１】
【発明の属する技術分野】
本発明は、液晶表示素子や有機ＥＬ表示素子など周囲温度によって表示特性が変わる表示素子を使用した表示装置に関し、特に周囲温度に応じて駆動条件を変更するようにした表示装置に関する。
【０００２】
【従来の技術】
近年、液晶表示システムや有機ＥＬ表示システムなどの表示手段の表現力が上がり、ＰＤＡや携帯電話などの小型機器の表示手段でも高解像度、多階調化（例えば、モノクロ階調、カラーの色数）が進んでいる。多階調駆動の際に液晶表示素子や有機ＥＬ表示素子（以下代表して、液晶表示素子とする）を常に適切な駆動条件で駆動し続けるためには、温度にしたがって変化する液晶表示素子のスレッショルド電圧や反応時間などに駆動条件を正確に追従させる必要がある。
【０００３】
このため、特開平５−２７３９４１号公報のように従来から、液晶表示パネルに近接して温度センサを配置し、その温度センサの検出温度に基づいてディジタル処理を行って駆動条件を求めることにより、その検出温度に最適な条件で液晶表示パネルを駆動することが行われている。
【０００４】
【発明が解決しようとする課題】
しかしながら、従来の液晶表示装置では、駆動条件を高度に温度補正させるためにディジタル演算処理を必要とするとともに、高精度のＡ／Ｄコンバータを必要としていた。そうしなければ、温度センサの出力により補正される駆動条件、即ち駆動電圧値や駆動タイミングが、温度センサの出力をディジタル値に変換するＡ／Ｄコンバータの分解能に合わせて大きくステップ状に変化してしまう。そして、このステップ状の駆動条件の変化は、表示画面の明るさなどの変化となって現れるから、人の目視により認知できるレベルになってしまう場合があった。この現象は、高温時や低温時など温度変化当たりの駆動条件変化量が大きな領域では特に顕著になってしまう。
【０００５】
また、温度センサで検出される温度が、Ａ／Ｄコンバータの量子化ビットの切り替わりの付近にあるときには、２値の間を行ったり来たり切り替わる場合があり、これにつれて駆動条件も切り替わることになる。このような駆動条件の変化は、表示品質の点で問題であった。
【０００６】
そこで、本発明は、表示パネルの温度を検出する温度センサの出力をディジタル値に変換し、その温度に応じて駆動条件を変更するようにした表示装置において、ディジタル値に変換するＡ／Ｄコンバータの分解能を高くすることなく、駆動条件の変化を抑制して、視覚上の違和感を少なくすることを目的とする。
【０００７】
【課題を解決するための手段】
本発明の請求項１の表示装置は、表示手段と、この表示手段に表示すべき内容を記憶する表示メモリ手段と、前記表示手段に接続された駆動手段と、前記表示手段の温度を検出する温度センサと、該温度センサで検出された温度データの変化に応じて前記表示手段の駆動条件を、その変化前の旧駆動条件設定値から前記温度データに対応した変化後の新駆動条件設定値に設定変更する温度補正手段と、これら各手段と結合され、それらを制御するコントローラ部とを備え、
前記温度補正手段はさらに、前記旧駆動条件設定値と前記新駆動条件設定値との間に１つ以上の中間設定値を設け、前記旧駆動条件設定値から前記新駆動条件設定値への設定変更を前記中間設定値をそれぞれ所定の遷移時間をおいて順次遷移させて行うように構成されていることを特徴としている。
【０００８】
この請求項１記載の表示装置によれば、温度センサの出力に応じて補正される駆動条件、即ち駆動電圧値や駆動タイミングが、旧駆動条件から新駆動条件に各中間値を経由して遷移時間の経過毎に順次変化してゆく。したがって、駆動条件の急激な変化は避けられるから、表示画面の明るさなどの変化を抑制することができる。これにより、切り替わりが緩やかになり、視覚的に気がつかない程度の画面の変化に抑えられる。
【０００９】
また、温度センサで検出された温度データをディジタル値に変換するＡ／Ｄコンバータは、分解能の低いものを使用することが可能になるから、回路規模を縮小することができる。また、Ａ／Ｄ変換動作に要する消費電力を低減することができる。
【００１０】
【発明の実施の形態】
以下、本発明の表示装置の実施の形態について、液晶表示装置を例として、図１〜図４を参照して説明する。
【００１１】
図１は本発明による液晶表示装置のための液晶駆動装置の構成を示す図である。この液晶駆動装置はモジュール構成とされており、その主な構成部として、外部Ｉ／Ｆ回路１、駆動電圧等発生回路２、この発生回路２とともに駆動手段を構成する液晶駆動回路３、表示メモリ４、ドライバコントローラ５，設定レジスタ６、温度センサ１１及び温度補正回路１０を有している。なお、温度補正回路１０は、ドライバコントローラ５に内蔵されることとして記載しているが、この他、駆動電圧等発生回路２に設けてもよいし、或いは、単独で別に設けることとしてもよい。また、図示省略しているが、タイミング発生回路等の必要な構成要素を有している。
【００１２】
外部Ｉ／Ｆ回路１は、このモジュールの外部に設けられているＭＰＵなどの制御装置とインターフェースを行う。液晶駆動回路３は、駆動電圧等発生回路２からの駆動電圧や、例えばＲＡＭで構成される表示メモリ４の表示データを受けて、表示手段としての液晶表示パネル（図示していない）を駆動する。
【００１３】
設定レジスタ６は、本液晶駆動装置の各種の設定値を格納するレジスタであり、ドライバの出力電圧値や表示モード、フレーム周波数等の種々の設定値が格納され、この設定値に基づいて各構成要素の動作条件が設定される。
【００１４】
温度センサ１１は、表示手段である液晶表示パネルに近接して設けられ、その温度を検出するセンサであり、この実施の形態では　バンドギャップ型定電圧回路を利用している。このバンドギャップ型定電圧回路は、温度などにほとんど影響されることなく定電圧を発生するものであり、その内部には温度により変化する電圧降下を発生する抵抗やダイオードなどを持っている。その定電圧と温度により変化する電圧降下を利用して、例えば基準となる定電圧と温度に応じて変化する電圧との比をとることにより、正確な温度データを得る。
【００１５】
温度補正回路１０は、温度センサ１１で検出された温度データがディジタル値に変換され、このディジタル温度データの変化に応じて液晶表示パネルの種々の駆動条件を、その変化前の旧駆動条件設定値からディジタル温度データに対応した変化後の新駆動条件設定値に設定変更する。さらに、その設定変更に際して、旧駆動条件設定値と新駆動条件設定値との間に１つ以上（例えば、３つ）の中間設定値を設け、旧駆動条件設定値から新駆動条件設定値への設定変更を各中間設定値をそれぞれ所定の遷移時間をおいて順次遷移させて行うように構成されている。
【００１６】
ドライバコントローラ５は、本液晶駆動装置の各構成部を制御するものであり、外部のＭＰＵからの初期設定データを設定レジスタ６に記憶させる等の作用を行う。この例ではさらに前述の温度補正回路１０を有している。
【００１７】
さらに、図２は、温度補正回路１０のブロック構成を示す図である。この図２の温度補正回路１０では、種々の駆動条件に応じて複数の温度補正系統が設けられるが、以下、代表して１つの温度補正系統について説明する。
【００１８】
Ａ／Ｄコンバータ１２は、温度センサ１１からの温度データを複数ｋ（ｋ＝６）ビットのディジタル値に変換する。このＡ／Ｄコンバータ１２の出力をノイズフィルタとして機能する平均化回路１３を経由させて、平均化された６ビットのディジタル温度データを得る。なお、これら温度センサ１１、Ａ／Ｄコンバータ１２、平均化回路１３をまとめて、温度センサ手段として構成することもできる。
【００１９】
温度−出力変換回路１４は、スロープ設定値により特性の傾きが設定され、入力される６ビットのディジタル温度データに応じて、その温度データに対する前置駆動条件設定値を出力する。この前置駆動条件設定値は複数ｎ（ｎ＝８）ビットであり、ディジタル温度データの６ビットより細かい分解能を持たせている。また、スロープ設定値は、温度データに対して任意の傾き（スロープ）、例えば、直線や表示素子の温度特性に応じた曲線などを指定する。この指定された傾きに従って、ディジタル温度データが前置駆動条件設定値に変換される。
【００２０】
加算回路１５は、温度−出力変換回路１４からの前置駆動条件設定値に対して、ボリューム調整により任意の調整値を前置駆動条件設定値に加算或いは減算して、所望のｍ（ｍ＝１０）ビットの駆動条件設定値として出力する。これら温度−出力変換回路１４及び加算回路１５は、温度出力変換手段としてまとめることができる。
【００２１】
ディジタルフィルタ１６は、遷移出力手段として機能するものである。このディジタルフィルタ１６では、加算回路１５から駆動条件設定値を受けるが、この駆動条件設定値が変化したときに、その変化前の値を旧駆動条件設定値とし、その変化後の値を新駆動条件設定値と呼称すると、時定数τを含むパラメータにしたがって旧駆動条件設定値から新駆動条件設定値に向けて、中間設定値を時定数τの遷移時間をおいて順次遷移させる。
【００２２】
このディジタルフィルタ１６の具体構成の例が図３に示されている。周波数ディバイダ１６−１は、一定周期のクロックと時定数τ（例えば、２ｓｅｃ）が入力され、時定数τ毎にパルス信号Ｐを出力する。
【００２３】
コンパレータ１６−３は、加算回路１５から駆動条件設定値を受けるとともに、アップ／ダウンカウンタ１６−２の出力を受けて、それらを比較する。加算回路１５からの駆動条件設定値が変化すると、その変化後の新駆動条件設定値がそれ以前の旧駆動条件設定値、つまりアップ／ダウンカウンタ１６−２の出力から増加（ＵＰ）したか減少（ＤＯＷＮ）したかに応じて増加信号ＵＰ或いは減少信号ＤＯＷＮを出力する。
【００２４】
アップ／ダウンカウンタ１６−２は、周波数ディバイダ１６−１のパルス信号Ｐとコンパレータ１６−３の増加信号ＵＰ或いは減少信号ＤＯＷＮを受けて、そのパルス信号Ｐを受ける度に増加信号ＵＰが入力されているときには１ステップ（例えば、２ｍＶ）ずつ駆動条件設定値を新駆動条件設定値に向けて増加させ、また減少信号ＤＯＷＮが入力されているときには１ステップ（例えば、２ｍＶ）ずつ駆動条件設定値を新駆動条件設定値に向けて減少させ、遷移出力手段としての出力を発生する。
【００２５】
この遷移は、Ａ／Ｄコンバータ１２が６ビット出力であり、温度−出力変換回路１４が８ビット出力であるから、Ａ／Ｄコンバータ１２の出力が１増加（或いは減少）すると、温度−出力変換回路１４の出力は、スロープの設定にもよるが例えば４ステップ分増加（或いは減少）することになる。この４ステップをそれぞれ遷移時間τずつかけて変化していくことになる。
【００２６】
なお、動作開始時に、アップ／ダウンカウンタ１６−２には、初期値として、通常標準温度に対応して決定された初期設定値が入力され、設定されている。
【００２７】
Ｄ／Ａコンバータ１７は、駆動条件設定値をアナログ信号に変換して、例えば駆動電圧発生のための指令値として使用される。ディジタル信号の形態のままで利用される場合にはこのＤ／Ａコンバータ１７は不要となる。
【００２８】
さて、この液晶駆動装置の動作を、変化のタイミングを示す図４も参照して、順序を追って説明する。
【００２９】
この液晶駆動装置において、外部のＭＰＵなどの制御装置から設定レジスタ６に設定されている初期設定値に基づいて、各構成要素の動作設定値がセットされる。そして、表示メモリ４に外部のＭＰＵから格納された表示データが駆動電圧等発生回路２や液晶駆動回路３の動作によって読み出され、表示パネルに表示される。この時、表示パネルの温度が一定の状態では、その温度に応じて設定されている、各種の駆動条件設定値が温度補正回路１０から出力されており、それぞれの構成要素に供給されている。
【００３０】
ここで、表示パネルの温度が変化し、温度センサ１１の出力をディジタル変換したＡ／Ｄコンバータ１２の出力が変動した場合を想定する。温度変化は通常は急激ではないので、６ビット出力データの１ＬＳＢ分が変化したとする。
【００３１】
このＡ／Ｄコンバータ１２の出力の１ＬＳＢが変化すると、所定のスロープが設定されている温度−出力変換回路１４の８ビット出力の前置駆動条件設定値も変化する。この前置駆動条件設定値がいくら変化するかは、スロープによって変わるが、仮に４ＬＳＢ分変化するとする。この変化の状態が図４に、変化前の旧駆動条件設定値ｖ１から変化後の新駆動条件設定値ｖ２として示されている。なお、加算回路１５は、所定量を加算（或いは減算）するだけなので、ここでの変化分には関与しない。
【００３２】
ディジタルフィルタ１６に、この新駆動条件設定値ｖ２が入力信号ＩＮとして入力される。ディジタルフィルタ１６では、コンパレータ１６−３において、新駆動条件設定値ｖ２、即ち入力信号ＩＮとアップ／ダウンカウンタ１６−２の出力信号ＯＵＴ（この時点では旧駆動条件設定値ｖ１）とが比較され、この場合増加信号ＵＰが発生される。一方、周波数デバイダ１６−１には高周波のクロック信号と時定数τ（例えば、２ｓｅｃ）とが入力されており、時定数τに相当するクロックをカウントする毎に、パルス信号Ｐが出力される。
【００３３】
増加信号ＵＰが出力されている状態で、最初にパルス信号Ｐが入力されると（時点ｔ１）、アップ／ダウンカウンタ１６−２は１カウントアップし、出力される駆動条件設定値はその分だけ増加する。１カウントアップによる駆動条件設定値の増加分Δｖは例えば２ｍＶである。この１カウントアップにより、出力信号ＯＵＴは増加するが、まだ入力信号ＩＮ＞出力信号ＯＵＴであるので、依然として増加信号ＵＰは発生されている。
【００３４】
なお、アップ／ダウンカウンタ１６−２の各出力値及び１ステップ幅は、加算回路１５から出力される駆動条件設定値のそれらと同じになるように決定されている。また、それらに多少の誤差があっても、コンパレータ１６−３の不感帯によりその誤差は吸収されるから、動作上は問題とならない。
【００３５】
この状態で引き続いてパルス信号Ｐが時定数τ毎に入力される度に、同様にカウントアップ動作が行われ、出力信号ＯＵＴは旧駆動条件設定値ｖ１から、緩やかに新駆動条件設定値ｖ２に向かって上昇していく。
【００３６】
そして、時点ｔ２において、カウントアップしたときに、出力信号ＯＵＴは新駆動条件設定値ｖ２に等しくなる。したがって、コンパレータ１６−３の入力信号ＩＮと出力信号ＯＵＴとは等しくなるので、増加信号ＵＰは出力されなくなる。これにより、ディジタルフィルタ１６のフィルタリング作用は終了し、出力信号ＯＵＴとして、所定の新駆動条件設定値ｖ２が出力される。
【００３７】
このように、温度−出力変換回路１４によって、Ａ／Ｄコンバータの６（＝ｋ）ビットのディジタル温度データを、より分解能の高い８（＝ｎ）ビットの駆動条件設定値に変換している。そして、ディジタルフィルタ１６ではその分解能の違いを利用して複数の中間設定値を設け、時定数τ毎に順次遷移させていく。つまり、入力信号ＩＮが旧駆動条件設定値ｖ１から新駆動条件設定値ｖ２にステップ状に変化しても、出力信号ＯＵＴは複数の中間設定値を時定数τの間隔をおいて順次変化する。したがって、駆動条件設定値に基づく表示パネルの表示状態も緩やかに変化するから、視覚により認識し得ないような変化レベルに抑えることができる。
【００３８】
以上の説明では、旧駆動条件設定値ｖ１から新駆動条件設定値ｖ２へ増加する場合について説明したが、逆に旧駆動条件設定値ｖ２から新駆動条件設定値ｖ１へ減少する場合にも、増加信号ＵＰが減少信号ＤＯＷＮに変わるだけで、同様に緩やかに変化する。その作用は同様であるので、説明は省略する。
【００３９】
また、本発明の表示装置において、温度補正回路１０は、異なる駆動条件に応じて複数設けられる。図２に、温度−出力変換回路１４ａ、加算回路１５ａ、ディジタルフィルタ１６ａ、Ｄ／Ａコンバータ１７ａで示すように、温度データを得るための温度センサ１１や、Ａ／Ｄコンバータ１２などは共通に用いて、個別に第２の駆動条件等を同様に構成することができる。これによれば、異なる駆動条件が複数ある場合にも１つの温度センサを共用することができる。
【００４０】
また、本発明の表示装置において、駆動条件が、駆動電圧値や駆動タイミングを含む複数の駆動条件である場合に、やはり、それぞれの駆動条件毎に温度補正手段を設ける。この場合、単に旧駆動条件設定値から新駆動条件設定値への設定変更を行うだけではその設定変更の時点が重なってしまい、結果として表示パネル上の表示の変化が重畳して発生してしまうことになる。
【００４１】
このような状態に対処するために、旧駆動条件設定値から新駆動条件設定値への設定変更を、まず１つの駆動条件、例えば駆動電圧値について遷移時間をおいて順次遷移させて、その後に他の駆動条件、例えば駆動タイミングについて遷移時間をおいて順次遷移させるように、制御することができる。このように、駆動条件毎に順次行う方法とすることもできるし、或いは、複数の駆動条件について順次１ステップづつ交互に行う方法をとることもできる。これにより、旧設定値と新設定値とを発振（リンギング）のように繰り返すことがなくなり、表示品位が向上する。なお、これらの制御は、ソフトウエア処理により、容易に実施することができる。
【００４２】
また、本発明の表示装置において、種々の態様をとることができる。例えば、請求項１において、前記温度センサは、バンドギャップ型定電圧回路を用い、その定電圧と、温度により変化する抵抗やダイオードなどの電圧降下を利用して温度データを得るように構成する。これによれば、基準となる定電圧と温度により変化する電圧との比により、正確な温度データを得ることができる。
【００４３】
また、本発明の表示装置において、温度補正手段は、駆動条件に応じて複数設けられ、これら複数の温度補正手段は共通の温度センサからの温度データに基づいて、それぞれ個別の駆動条件を出力するように構成する。これによれば、異なる駆動条件が複数ある場合にも１つの温度センサを共用することができる。
【００４４】
また、本発明の表示装置において、駆動条件が、駆動電圧値や駆動タイミングを含む複数の駆動条件である場合に、それぞれの駆動条件毎に温度補正手段を設けるとともに、前記旧駆動条件設定値から前記新駆動条件設定値への設定変更を、まず１つの駆動条件について遷移時間をおいて順次遷移させて、その後に他の駆動条件について遷移時間をおいて順次遷移させるように、駆動条件毎に順次行う、或いは、複数の駆動条件について順次１ステップづつ交互に行う、ように構成する。これにより、複数の駆動条件の種類が駆動電圧値や駆動タイミングなどのように異なる場合でも駆動条件変更が時間的に同時に行われることはなくなるから、表示画面の明るさなどの変化をさらに緩やかにすることができる。
【００４５】
また、本発明の表示装置において、温度補正手段は、温度センサからの温度データを複数ｋビットのディジタル値に変換するＡ／Ｄコンバータ手段と、このＡ／Ｄコンバータ手段からのディジタル温度データを、傾きを含む設定情報にしたがって複数ｍビット（ｍ＞ｋ）の駆動条件設定値に変換する温度−出力変換手段と、この温度−出力変換手段の駆動条件設定値を受けて、時定数τを含むパラメータにしたがって旧駆動条件設定値から新駆動条件設定値に向けて、中間設定値を時定数τの遷移時間をおいて順次遷移させる遷移出力部とを、備えて構成される。これにより、Ａ／Ｄコンバータ手段のｋビットのディジタル値より大きいｍビットの駆動条件設定値に温度−出力変換手段で変換しているから、遷移出力部ではその解像度の違いを利用して複数の中間設定値を設けることができ、時定数τ毎に順次遷移させていくことが容易にできる。
【００４６】
さらに、前記温度−出力変換手段は、傾きを含む設定情報にしたがって複数ｎビット（ｎ＞ｋ、かつｎ＜ｍ）の前置駆動条件設定値に変換する温度−出力変換回路と、この温度−出力変換回路の出力に任意の値を調整値として加算し或いは減算して、ｍビットの駆動条件設定値として出力する加算回路とを有している。これにより、温度−出力変換回路では任意の傾き（スロープ）、例えば、直線や表示素子の温度特性に応じた曲線など、を指定することにより、所定の前置駆動条件設定値を形成できる。また、加算回路ではボリューム調整により任意の調整値を前置駆動条件設定値に加算或いは減算して、所定の駆動条件設定値を出力するように設定することができる。
【００４７】
さらに、前記遷移出力部は、ディジタルフィルタとして構成される。その構成は、一定周期のクロックと時定数τが入力され、時定数τ毎にパルス信号を出力する周波数ディバイダと、前記温度−出力変換手段から新駆動条件設定値を受けて、それ以前の旧駆動条件設定値から増加（ＵＰ）したか減少（ＤＯＷＮ）したかに応じて増加信号ＵＰ或いは減少信号ＤＯＷＮを出力するコンパレータと、前記周波数ディバイダのパルス信号Ｐと前記コンパレータの増加信号ＵＰ或いは減少信号ＤＯＷＮを受けて、そのパルス信号Ｐを受ける度に増加信号ＵＰが入力されているときには１ステップずつ駆動条件設定値を新駆動条件設定値に向けて増加させ、また減少信号ＤＯＷＮが入力されているときには１ステップずつ駆動条件設定値を新駆動条件設定値に向けて減少させ、遷移出力部としての出力を発生するアップ／ダウンカウンタとを有している。これにより、入力される新駆動条件設定値は、ディジタルフィルタリングされて緩やかに変化して、出力される。
【００４８】
【発明の効果】
請求項１記載の表示装置によれば、温度センサの出力に応じて補正される駆動条件、即ち駆動電圧値や駆動タイミングが、旧駆動条件から新駆動条件に各中間値を経由して遷移時間の経過毎に順次変化してゆく。したがって、駆動条件の急激な変化は避けられるから、表示画面の明るさなどの変化を抑制することができる。これにより、切り替わりが緩やかになり、視覚的に気がつかない程度の画面の変化に抑えられる。
【００４９】
また、温度センサで検出された温度データをディジタル値に変換するＡ／Ｄコンバータは、分解能の低いものを使用することが可能になるから、回路規模を縮小することができる。また、Ａ／Ｄ変換動作に要する消費電力を低減することができる。
【図面の簡単な説明】
【図１】本発明による液晶駆動装置の構成を示す図。
【図２】温度補正回路のブロック構成を示す図。
【図３】ディジタルフィルタの具体構成を示す図。
【図４】液晶駆動装置の動作タイミングを示す図。
【符号の説明】
１　外部Ｉ／Ｆ回路
２　駆動電圧等発生回路
３　液晶駆動回路
４　表示メモリ
５　ドライバコントローラ
６　設定レジスタ
１０　温度補正回路
１１　温度センサ
１２　Ａ／Ｄコンバータ
１３　平均化回路
１４、１４ａ　温度−出力変換回路
１５、１５ａ　加算回路
１６、１６ａ　ディジタルフィルタ
１６−１　周波数ディバイダ
１６−２　アップ／ダウンカウンタ
１６−３　コンパレータ
１７、１７ａ　Ｄ／Ａコンバータ
【図１】
2004029411.tif 000003
【図２】
2004029411.tif 000004
【図３】
2004029411.tif 000005
【図４】
2004029411.tif 000006